【事件の表示】
　特願２００９−　２６９４６「ディスク装置」拒絶査定不服審判事件〔平成２２年　８月１９日出願公開、特開２０１０−１８２３８８、請求項の数（５）〕について、次のとおり審決する。
【結　論】
　原査定を取り消す。
　本願の発明は、特許すべきものとする。
【理　由】
１．手続の経緯
　本願は、平成２１年２月９日の出願であって、平成２４年８月１６日付け拒絶理由に対する応答時、同年１０月１７日付けで手続補正がなされたが、平成２５年２月１９日付けで拒絶査定がなされ、これに対して、同年５月２３日付けで拒絶査定不服審判請求及び手続補正がなされた。
　その後、平成２５年６月２７日付けで前置報告書を利用した審尋がなされたが、請求人からは回答がなされなかったものである。
　
２．平成２５年５月２３日付けの手続補正についての補正却下の決定
　
［補正却下の決定の結論］
　平成２５年５月２３日付けの手続補正を却下する。
　
［理由］
　平成２５年５月２３日付けの手続補正（以下、「本件補正」という。）は、特許請求の範囲について、本件補正前には、
「【請求項１】
　ディスクが載置されるディスクトレイと、
　前記ディスクトレイが前後進可能に設けられたメインシャーシと、
　ターンテーブルが設けられたトラバースシャーシと、
　前記トラバースシャーシを昇降させるモータと、
　前記モータを制御する制御部と、を備えたディスク装置において、
　前記トラバースシャーシが所定の位置まで上昇したことを検出する検出部をさらに備え、
　前記制御部は、
　前記ディスクトレイを前記メインシャーシから排出するために、前記ディスクトレイを前進させる前に、前記モータを逆転させることにより、前記トラバースシャーシを降下させるとともに、
　前記ディスクトレイが後進することにより、前記ディスクトレイが前記メインシャーシに収納された後に、前記ディスクをクランプするために前記モータを正転させることにより、前記トラバースシャーシを上昇させるように構成されており、
　前記モータを正転させて前記トラバースシャーシを上昇させる場合に、前記検出部が所定の時間内に前記トラバースシャーシが所定の位置まで上昇したことを検出しなかったときは、前記ディスクのクランプに失敗した判断して、まず、前記モータの印加電圧をいったん０にしてクランプ動作を停止させ、次に、前記モータを一時的に逆転させ、その後、前記モータを正転させる、ことを特徴とするディスク装置。
　【請求項２】
　請求項１に記載のディスク装置において、
　前記モータを一時的に逆転させ、その後、前記モータを正転させる際の印加電圧は、前記所定の時間内における前記モータを正転させる際の印加電圧よりも高い、ことを特徴とするディスク装置。
　【請求項３】
　請求項１または請求項２に記載のディスク装置において、
　前記モータを一時的に逆転させ、その後、前記モータを正転させても、前記トラバースシャーシが所定の位置まで上昇しない場合には、前記ディスクトレイが前記メインシャーシから排出される、ことを特徴とするディスク装置。
　【請求項４】
　請求項１ないし請求項３のいずれかに記載のディスク装置において、
　前記モータは、前記トラバースシャーシが降下した状態において、正転することにより前記ディスクトレイを後進させるとともに、逆転することにより前記ディスクトレイを前進させる、ことを特徴とするディスク装置。
　【請求項５】
　請求項１ないし請求項４のいずれかに記載のディスク装置において、
　前記トラバースシャーシに設けられた光ピックアップをさらに備え、
　前記モータは、前記トラバースシャーシが所定の位置まで上昇した状態において、回転することにより前記光ピックアップを移動させる、ことを特徴とするディスク装置。」
とあったものを、
「【請求項１】
　
ディスク装置であって、
　ターンテーブルが設けられたトラバースシャーシと、
　前記トラバースシャーシを昇降させるモータと、
　前記モータを
正転させることにより前記トラバースシャーシを上昇させ、前記モータを逆転させることにより前記トラバースシャーシを降下させるように
、
　前記トラバースシャーシが所定の位置まで上昇したことを検出する検出部
とを備え
　前記制御部は、
　前記モータを正転させて前記トラバースシャーシを上昇させる際、前記検出部が所定の時間内に前記トラバースシャーシが所定の位置まで上昇したことを検出しなかった
場合に
　
第１の期間、
を０
　
前記クランプ動作を停止させた後、第２の期間、
を逆
る
　【請求項２】
　
前記制御部は、
　
前記モータを逆転させた後、第３の期間、前記モータの印加電圧を０にしてクランプ動作を停止させ、
　
前記クランプ動作を停止させた後、第４の期間、前記モータを正転させることを特徴とする、請求項１に記載のディスク装置。
　【請求項３】
　
前記第４の期間に
る印
に前
る印
いこ
、請求項２に記載の
　【請求項４】
　
ディスクが載置されるディスクトレイと、
　
前記ディスクトレイが前後進可能に設けられたメインシャーシと、をさらに備え、
　
前記制御部は、前記第４の期間、
前記
したことを前記検出部が検出しなかった
を
する
、請求項２または請求項３に記載の
　【請求項５】
　
前記モータは、
　前記トラバースシャーシが降下した状態において、正転することにより前記ディスクトレイを後進させるとともに、逆転することにより前記ディスクトレイを前進させ
、
　
前記トラバースシャーシが前記所定の位置まで上昇した状態において、回転することにより前記トラバースシャーシに設けられた光ピックアップを移動させる
、請求項４に記載の
と補正するものである。
　
　そこで、本件補正前と補正後とを対比してみると、補正前後で請求項の数は変わらず、
　・補正後の請求項１，３，４は、それぞれ補正前の請求項１，２，３に対応し、
　・補正後の請求項５は、補正前の請求項４を引用する請求項５に対応し、補正前の請求項４は削除されたとみることができるが、
（１）少なくとも補正後の請求項１には、補正前の請求項１に記載された、以下の特定事項が省かれている。
　(a)「ディスクが載置されるディスクトレイと、前記ディスクトレイが前後進可能に設けられたメインシャーシ」とを備える点。
　(b)制御部がモータを逆転させることによりトラバースシャーシを降下させるように制御するのが、「前記ディスクトレイを前記メインシャーシから排出するために、前記ディスクトレイを前進させる前に」行われるとする点。
　(c)制御部がモータを正転させることによりトラバースシャーシを上昇させるように制御するのが、「前記ディスクトレイが後進することにより、前記ディスクトレイが前記メインシャーシに収納された後に、前記ディスクをクランプするために」行われるとする点。
　(d)クランプ動作を停止させた後のモータの逆転が「一時的に」行われるものであり、「その後、前記モータを正転させる」点。
（２）補正後の請求項２が追加されている。
　
　これら（１）（２）の補正は限定的減縮を目的とするものに該当しないことは明らかである。また、請求項の削除、誤記の訂正、拒絶理由通知に係る拒絶の理由に示す事項についてする明りょうでない記載の釈明を目的とするものにも該当しない。
　したがって、本件補正は、特許法第１７条の２第５項の規定に違反するものであるから、同法第１５９条第１項において読み替えて準用する同法第５３条第１項の規定により却下すべきものである。
　
３．本願発明について
　平成２５年５月２３日付けの手続補正は上記のとおり却下されたので、本願の請求項１ないし５に係る発明は、平成２４年１０月１７日付け手続補正書の特許請求の範囲の請求項１及び出願当初の特許請求の範囲の請求項２ないし５に記載された事項により特定されるとおりのものであると認める。
　そして、本願については、原査定の拒絶理由を検討してもその理由によって拒絶すべきものとすることはできない。
　また、他に本願を拒絶すべき理由を発見しない。
　よって、結論のとおり審決する。